(57)【要約】【課題】開封後に開封摘み部が詰め替え容器本体と分離せず、詰め替え作業時には、開封摘み部が詰め替え作業の邪魔にならない位置に手を持ち替えずに連結され、外れにくいようにして、詰め替え作業の快適性を向上させ、製造コストをおさえた詰め替え包装容器を提供する。【解決手段】開封ノッチ９を始点として、開口破断線１０を設け、開口破断線１０の終点は、右側サイドシール部３内に設けた切り込み孔１２と接するように配置している。開封用摘み部７の下側には右側サイドシール部３内の切り込み孔１２によって形成されたひらがなの略しの字形状の出っ張り部を、包装容器本体の内側に向かって出っ張るように設けている。この出っ張り部の根元部の右下側を引っ掛け部１６とし、右側サイドシール部３の外縁部を被引っ掛け部１７としている。【選択図】図４
2019085172.tif 000002
【特許請求の範囲】
【請求項１】
表フィルムと裏フィルムを重ね合わせ、周縁にシール部を設け、内側の未シール部を内容物が収容される収容室とした包装容器において、前記シール部は上側、左側サイド、右側サイド、下側の４辺とし、下側以外の隣り合う２辺の間の前記シール部を開封用摘み部とし、前記２辺のどちらか１辺に開封ノッチを設け、前記開封ノッチを設けない辺の外縁部に並行した切り込み孔もしくは切り込みを設け、前記開封ノッチから前記開封ノッチを設けない辺に向かって開口破断線を設け、前記開口破断線の終点は前記切り込み孔もしくは前記切り込みと接するように配置され、前記開封用摘み部に引っ掛け部を備えるとともに、前記開封ノッチを設けない辺の前記シール部に被引っ掛け部を備え、開封後に前記開封用摘み部と前記包装容器本体が繋がっている部分を頚部とし、前記開封用摘み部を摘んで開封した手を持ち替えずに前記引っ掛け部を前記被引っ掛け部に引っ掛けて連結できるようにしたことを特徴とした包装容器。
【請求項２】
請求項１に記載の包装容器において、開封ノッチを設けない辺の外縁部に並行した切り込み孔もしくは切り込みの、前記開封ノッチを設けた辺から遠い側の端部からみて、引っ掛け部の最も近い部分までの距離が、被引っ掛け部の最も近い部分までの距離の１．３倍より小さいことを特徴とした包装容器。
【請求項３】
請求項１、請求項２に記載の包装容器において、開封ノッチを設けない辺の外縁部に並行した切り込み孔もしくは切り込みを設けると共に開封用摘み部に形成された略Ｕの字の形状もしくはひらがなの略しの字の形状の出っ張り部を前記包装容器本体の内側に向かって出っ張るようにし、前記出っ張り部の根元部の前記開封ノッチを設けた辺から遠い側を引っ掛け部としたことを特徴とした包装容器。
【請求項４】
請求項１から請求項３に記載の包装容器において、開封後に開封用摘み部を摘んで頚部の根元で折り曲げて、引っ掛け部を被引っ掛け部に引っ掛けたとき、開口破断線が開封ノッチを設けない辺の外縁部に対して、接するかもしくは外側であることを特徴とした包装容器。
【請求項５】
請求項１、請求項２に記載の包装容器において、開封用摘み部のシール部内に開封ノッチを設けた辺側が開いた、略三日月形状もしくは略Ｕの字形状の切り込み孔もしくは略Ｕの字形状の切り込みのいずれかを設け、内側に形成された略Ｕの字形状の出っ張り部の根元部を引っ掛け部としたことを特徴とした包装容器。
【発明の詳細な説明】
【技術分野】
【０００１】この発明は、フィルムからなる詰め替え包装容器に関する。
【背景技術】
【０００２】従来から詰め替え包装容器は、シール部に形成された開封ノッチから袋の一部を切り裂いて開封し、内容物を排出するようになっている。【０００３】このような詰め替え容器では、開封摘み部の開封ノッチから袋の一部を切り裂いて開封されると、開封摘み部が詰め替え容器本体と分離してしまい、詰め替え容器本体を持ったままで分離した開封摘み部を一旦近傍に放置し、詰め替え作業終了後に詰め替え容器本体とともに捨てる必要があった。また分離した開封摘み部には内容物も付着しており放置する場所にも困ってしまうという問題もあった。【０００４】そこで、特許文献１、特許文献２のような、開封摘み部を詰め替え容器本体と分離させずに、引き裂かれるカット部分の先端部が差し込み可能な挿入用スリットをシール部に設けた包装袋が提案されている。【０００５】
【特許文献１】特開平０７−０６９３７０
【特許文献２】特開平２０１７−００１７３８
【発明の概要】
【発明が解決しようとする課題】
【０００６】しかし、特許文献１の包装袋では、カット止め用スリットが引き裂き線と交わる方向に設けられ、差込可能な挿入用スリットをシール部に設けているだけなので、引き裂かれたカット部分の先端を摘んだままでカット部分を挿入用スリットに差し込むことができず持ち替えなくてはならない。また挿入用スリットは自動的には開かず差込に手間がかかり、さらに挿入用スリットからカット部分が抜けやすいなどの問題があった。【０００７】また、特許文献２のフィルム製容器では、開封後の融着片を差し込み切り込みに差し込むときに、融着片を摘んだ手を持ち替えなくてはならない。また差し込み切り込みは融着片を差し込むときに自動的に開かないので差し込みにくいなどの問題があった。【０００８】本発明は、上記問題点を鑑み、開封後に開封摘み部が詰め替え容器本体と分離せず、詰め替え作業時には、開封摘み部が詰め替え作業の邪魔にならない位置に手を持ち替えずに連結され、外れにくいようにして、詰め替え作業の快適性を向上させ、製造コストをおさえた詰め替え包装容器を提供することを課題とする。
【課題を解決するための手段】
【０００９】請求項１に記載の本発明は、表フィルムと裏フィルムを重ね合わせ、周縁にシール部を設け、内側の未シール部を内容物が収容される収容室とした包装容器において、前記シール部は上側、左側サイド、右側サイド、下側の４辺とし、下側以外の隣り合う２辺の間の前記シール部を開封用摘み部とし、前記２辺のどちらか１辺に開封ノッチを設け、前記開封ノッチを設けない辺の外縁部に並行した切り込み孔もしくは切り込みを設け、前記開封ノッチから前記開封ノッチを設けない辺に向かって開口破断線を設け、前記開口破断線の終点は前記切り込み孔もしくは前記切り込みと接するように配置され、前記開封用摘み部に引っ掛け部を備えるとともに、前記開封ノッチを設けない辺の前記シール部に被引っ掛け部を備え、開封後に前記開封用摘み部と前記包装容器本体が繋がっている部分を頚部とし、前記開封用摘み部を摘んで開封した手を持ち替えずに前記引っ掛け部を前記被引っ掛け部に引っ掛けて連結できるようにしたことを特徴とした包装容器である。【００１０】請求項２に記載の本発明は、請求項１に記載の包装容器において、開封ノッチを設けない辺の外縁部に並行した切り込み孔もしくは切り込みの、前記開封ノッチを設けた辺から遠い側の端部からみて、引っ掛け部の最も近い部分までの距離が、被引っ掛け部の最も近い部分までの距離の１．３倍より小さいことを特徴とした包装容器である。【００１１】請求項３に記載の本発明は、請求項１、請求項２に記載の包装容器において、開封ノッチを設けない辺の外縁部に並行した切り込み孔もしくは切り込みを設けると共に開封用摘み部に形成された略Ｕの字の形状もしくはひらがなの略しの字の形状の出っ張り部を前記包装容器本体の内側に向かって出っ張るようにし、前記出っ張り部の根元部の前記開封ノッチを設けた辺から遠い側を引っ掛け部としたことを特徴とした包装容器である。【００１２】請求項４に記載の本発明は、請求項１から請求項３に記載の包装容器において、開封後に開封用摘み部を摘んで頚部の根元で折り曲げて、引っ掛け部を被引っ掛け部に引っ掛けたとき、開口破断線が開封ノッチを設けない辺の外縁部に対して、接するかもしくは外側であることを特徴とした包装容器である。【００１３】請求項５に記載の本発明は、請求項１、請求項２に記載の包装容器において、開封用摘み部のシール部内に開封ノッチを設けた辺側が開いた、略三日月形状もしくは略Ｕの字形状の切り込み孔もしくは略Ｕの字形状の切り込みのいずれかを設け、内側に形成された略Ｕの字形状の出っ張り部の根元部を引っ掛け部としたことを特徴とした包装容器である。
【発明の効果】
【００１４】請求項１に記載の本発明によれば、開封用摘み部が開封後に、包装容器本体と分離せず、開封時に開封用摘み部を摘んだ手をそのまま持ち替えずに引っ掛け部を被引っ掛け部に引っ掛けことができ、詰め替え作業時には、開封用摘み部が内容物排出の邪魔にならない位置に連結され保持されるので詰め替え作業の快適性を向上させることができる。【００１５】請求項２に記載の本発明によれば、引っ掛け部を被引っ掛け部に引っ掛けようとするとき、包装容器本体と繋がっている開封用摘み部の頚部に働く弾性力によって、引っ掛け部が被引っ掛け部に自ら引っ掛かろうとして留まるので連結が強固になる。【００１６】請求項３に記載の本発明によれば、引っ掛け部を形成するために設けられた切り込み孔もしくは切り込みは、すべて包装容器本体の外縁部より内側に収まっており外形に影響を与えず、包装容器本体の強度を損なうことがないので運搬時等の損傷の可能性を低くすることができる。【００１７】請求項４に記載の本発明によれば、引っ掛け部を被引っ掛け部に引っ掛ける際、包装容器本体の開封ノッチを設けない辺の外縁部が邪魔にならないので、引っ掛ける動作が快適であり、かつ製造コストをおさえた包装容器を提供することができる。【００１８】請求項５に記載の本発明によれば、引っ掛け部を形成するために設けられた切り込み孔もしくは切り込みは、すべて包装容器本体の外縁部より内側に収まっており外形に影響を与えず、包装容器本体の強度を損なうことがないので運搬時等の損傷の可能性を低くすることができる。【００１９】以上のように本発明によれば、開封用摘み部が開封後に包装容器本体と分離せず、開封用摘み部が詰め替え作業の邪魔にならない位置に１つの動作で保持または連結されるので、詰め替え作業の快適性を向上させるとともに、製造コストをおさえた包装容器を提供することができる。
【図面の簡単な説明】
【００２０】
【図１】  従来の詰め替え包装容器の平面図。
【図２】  従来の詰め替え包装容器の開封後の図。
【図３】  本発明の第１実施形態の詰め替え包装容器の平面図。
【図４】  本発明の第１実施形態の詰め替え包装容器の右上側の拡大平面図。
【図５】  （ａ）本発明の第１実施形態の詰め替え包装容器の開封直後の状態を示した図。（ｂ）本発明の第１実施形態の詰め替え包装容器の引っ掛け直前の状態を示した図。（ｃ）本発明の第１実施形態の詰め替え包装容器の引っ掛け部を被引っ掛け部に引っ掛けた状態を示した図。
【図６】  本発明の第１実施形態の詰め替え包装容器の引っ掛け部を被引っ掛け部に引っ掛けて手を離した状態を示した図。
【図７】  本発明の第１実施形態の詰め替え包装容器の開封用摘み部内に切り込みを設けた図。
【図８】  本発明の第２実施形態の詰め替え包装容器の平面図。
【図９】  本発明の第２実施形態の詰め替え包装容器の右上側の拡大平面図。
【図１０】  （ａ）本発明の第２実施形態の詰め替え包装容器の開封直後の状態を示した図。（ｂ）本発明の第２実施形態の詰め替え包装容器の引っ掛け直前の状態を示した図。（ｃ）本発明の第２実施形態の詰め替え包装容器の引っ掛け部を被引っ掛け部に引っ掛けて右手を離した状態を示した図。
【図１１】  本発明の第３実施形態の詰め替え包装容器の平面図。
【図１２】  本発明の第３実施形態の詰め替え包装容器の右上側の拡大平面図。
【図１３】  （ａ）本発明の第３実施形態の詰め替え包装容器の開封直後の状態を示した図。（ｂ）本発明の第３実施形態の詰め替え包装容器の引っ掛け直前の状態を示した図。（ｃ）本発明の第３実施形態の詰め替え包装容器の引っ掛け部を被引っ掛け部に引っ掛けて右手を離した状態を示した図。
【図１４】  本発明の第３実施形態の詰め替え包装容器の引っ掛ける直前の状態を詰め替え包装容器の右側面から見た図
【図１５】  本発明の第４実施形態の詰め替え包装容器の平面図。
【図１６】  本発明の第４実施形態の詰め替え包装容器の右上側の拡大平面図。
【図１７】  （ａ）本発明の第４実施形態の詰め替え包装容器の開封直後の状態を示した図。（ｂ）本発明の第４実施形態の詰め替え包装容器の引っ掛ける直前の状態を示した図。（ｃ）本発明の第４実施形態の詰め替え包装容器の引っ掛け部を被引っ掛け部に引っ掛けて右手を離した状態を示した図。
【図１８】  本発明の他の実施形態の例を示した図。
【発明を実施するための形態】
【００２１】本発明は、シール部に形成された開封ノッチから袋の一部を切り裂いて開封し、内容物を排出する詰め替え用包装容器に関するものである。
【００２２】以下、添付図面を参照し、本発明の実施の形態を説明する。
【００２３】図１は従来の詰め替え包装容器の平面図であり、図２は従来の詰め替え包装容器の開封後の開封用摘み部７が詰め替え包装容器１本体と分離した様子を示す図である。
【００２４】まず、本発明の第１実施形態の詰め替え包装容器について図３〜図８で説明する。
【００２５】図３に示すように、本実施形態の詰め替え包装容器１は、周縁４辺がシールされ、上側シール部２と右側サイドシール部３の間のシール部４と未シール部５を開封用摘み部７としている。また、シールされた周縁４辺の内側の未シール部を内容物収容室としている。
【００２６】図４に示すように、上側シール部２の右部に開封ノッチ９を設けている。この開封ノッチ９を始点として、開口破断線１０を設け、開口破断線１０の終点は、右側サイドシール部３内に設けた切り込み孔１２と接するように配置されている。なお、右側サイドシール部３内の切り込み孔１２の下側の端部Ａは破断防止のため曲線形状としている。
【００２７】また、開封用摘み部７の下側には右側サイドシール部３内の切り込み孔１２によって形成されたひらがなの略しの字形状の出っ張り部が、包装容器本体の内側に向かって出っ張るように設けられている。この出っ張り部の根元部の右下側を引っ掛け部１６としている。また、右側サイドシール部３の外縁部を被引っ掛け部１７としている
【００２８】以下、図５を用いて開封終了から引っ掛け部１６を被引っ掛け部１７に引っ掛ける動作を説明する。図５ａは開封用摘み部７を摘んだ右手を手前に引いて開封し、未シール部が開口部８となり開封用摘み部７が頚部１８によって詰め替え容器本体と繋がっている状態、図５ｂは右手を下に移動させ引っ掛ける直前、図５ｃは引っ掛けた状態を示す図である。
【００２９】この際、図４で示すように、引っ掛け部１６は右側サイドシール部３の外縁部より左にあり離れている。これによって、引っ掛け部１６を被引っ掛け部１７に引っ掛けるときに、引っ掛け部１６が被引っ掛け部１７に届いた状態（図５ｃで図示）の後に手を離すと頚部１８に左側に向かう弾性力が働き引っ掛かる。
【００３０】また、図６で示すように、開封後の開封用摘み部７を摘んで頚部１８の根元で折り曲げて、引っ掛け部１６を被引っ掛け部１７に引っ掛けたとき、開口破断線１０が右側サイドシール部３の外縁部１１に対して、接するかもしくは外側に離れるように設定されている。これにより、図５ｂ、図５ｃで示すように、右側サイドシール部３の外縁部１１が引っ掛ける動作の邪魔にならない。
【００３１】また、図７で示すように、開封用摘み部７内に開口破断線１０の終点から右上に向かう方向に切り込み１３を設けてもよい。これにより、引っ掛ける動作がよりやりやすくなる。
【００３２】よって、図３から図７で示す通り、開封後の詰め替え作業前に引っ掛け部１６を被引っ掛け部１７に、手を持ち替えず引っ掛けることができ留まるので、連結と保持ができる。
【００３３】したがって、開封後の開封用摘み部は詰め替え包装容器の本体と分離せず、詰め替え作業時には、開封用摘み部が詰め替え作業の邪魔にならない手を持ち替えることなくで連結および保持されるので詰め替え作業が快適である。また、詰め替え包装容器の本体の外形に与える影響がなく、加工が少ないので、運搬時等の安全性を保ち、製造コストをおさえた詰め替え包装容器を提供することができる。
【００３４】つぎに本発明の第２実施形態の詰め替え包装容器について図８〜図１０で説明する。
【００３５】図８に示すように、本実施形態の詰め替え包装容器１は、周縁４辺がシールされ、上側シール部２と右側サイドシール部３の間のシール部４と未シール部５を開封用摘み部７としている。
【００３６】図９に示すように、上側シール部２の右部に開封ノッチ９を設けている。この開封ノッチ９を始点とした開口破断線１０を設け、開口破断線１０の終点は、右側サイドシール部３内に設けた切り込み孔１２と接するように配置されている。なお、右側サイドシール部３内の切り込み孔１２の下側の端部Ａは破断防止のため曲線形状としている。
【００３７】また、開封用摘み部７の右側サイドシール部３の外縁部１１の上側を左右反転させたカタカナの略クの字の形状で切り欠き、切り欠き１５の上部を引っ掛け部１６とし、右側サイドシール部３内に長径が垂直の楕円形状の貫通孔１４を設け上側を被引っ掛け部１７としている。
【００３８】以下、図１０を用いて開封終了から引っ掛け部１６を被引っ掛け部１７に引っ掛ける動作を説明する。図１０ａは右手を手前に引いて開封が終わった状態、図１０ｂは右手を下に移動させ引っ掛ける直前、図１０ｃは引っ掛けて右手が離れた状態を示す図である。
【００３９】この際、引っ掛け部１６を被引っ掛け部１７に引っ掛けるときに、引っ掛け部１６が被引っ掛け部１７に届いた後に手を離すと頚部１８に上側に向かう弾性力が働き引っ掛かる。なお、図９で示している距離Ｂが距離Ｃの１．３倍より大きいと上側に向かう弾性力が働いても上向きには引っ掛からない。
【００４０】よって、右側サイドシール部３内の切り込み孔１２の下側の端部Ａからみて、引っ掛け部１６までの距離Ｂは被引っ掛け部１７までの距離Ｃより大きく、１．３倍以内（好ましくは１．０５倍以内）としている。
【００４１】これにより、図８から図１０で示す通り、開封後の詰め替え作業前に引っ掛け部１６を被引っ掛け部１７に、手を持ち替えず引っ掛けることができ留まるので、連結と保持ができる。
【００４２】つぎに発明の第３実施形態の詰め替え包装容器について図１１〜図１４で説明する。
【００４３】図１１に示すように、本実施形態の詰め替え包装容器１は、周縁４辺がシールされ、上側シール部２と右側サイドシール部３の間のシール部４と未シール部５を開封用摘み部７としている。
【００４４】図１２に示すように、上側シール部２の右部に開封ノッチ９を設けている。この開封ノッチ９を始点とした開口破断線１０を設け、開口破断線１０の終点は、右側サイドシール部内に設けた切り込み孔１２と接するように配置されている。なお、右側サイドシール部の切り込み孔１２の下側の端部Ａは破断防止のため曲線形状としている。
【００４５】さらに、開封用摘み部７のシール部内に上側が開いた略三日月形状の切り込み孔１９を設けることによって切り込み孔の上側に形成された略Ｕの字形状の出っ張った部分の根元部を引っ掛け部１６としている。また、略三日月形状の切り込み孔１９の両方の端部を結んだ線Ｄは、水平に対して右上に２０度の方向に傾いている。
【００４６】また、右側サイドシール部のシール部内に略半月形状の切り込み孔２０を上が直線、下が曲線になるように設け、上の直線は水平に対して右下に２０度の方向に傾くように設け被引っ掛け部１７としている。
【００４７】以下、図１３を用いて開封終了から引っ掛け部１６を被引っ掛け部１７に引っ掛ける動作を説明する。図１３ａは開封用摘み部７を摘んだ右手を手前に引いて開封が終わった状態、図１３ｂは右手を下に移動させ引っ掛ける直前、図１３ｃは引っ掛けて右手が離れた状態を示す図である。
【００４８】図１２で示すように、略三日月形状の切り込み孔１９の両方の端部を結んだ線Ｄの延長線上で、２つの端部のそれぞれから開封用摘み部７の外縁部と接する位置までの線Ｅと線Ｆのそれぞれの長さは同一である。また、線Ｅと線Ｆは開封用摘み部７および頚部１８のシール部の中で曲げ剛性が最も弱くなっている。
【００４９】これにより、図１４で示すように引っ掛け部１６を引っ掛けようとするときに略Ｕの字形状の出っ張った部分Ｇが被引っ掛け部側に自動的に出て差し込みやすくなっている。
【００５０】よって、図１１から図１４で示す通り、開封後の詰め替え作業前に引っ掛け部１６を被引っ掛け部１７に、手を持ち替えずに引っかけることができ留まるので、連結され保持できる。
【００５１】つぎに本発明の第４実施形態の詰め替え包装容器について図１５〜図１７で説明する。
【００５２】図１５に示すように、本実施形態の詰め替え包装容器１は、周縁４辺がシールされ、上側シール部２と右側サイドシール部３の間のシール部４と未シール部５を開封用摘み部７としている。
【００５３】図１６に示すように、上側シール部２の右部に開封ノッチ９を設けている。この開封ノッチ９を始点とした開口破断線１０を設け、開口破断線１０の終点は、開封用摘み部内に設けた切り込み孔３１と接するように配置されている。さらに、切り込み孔３１の右端に第２の開封ノッチ２２を設け、第２の開封ノッチ２２を始点とした第２の開口破断線２３を設け、第２の開口破断線２３の終点は、右側サイドシール部内に設けた切り込み孔１２と接するように配置されている。なお、右側サイドシール部内の切り込み孔１２の下側の端部Ａは破断防止のため曲線形状としている。
【００５４】また、開封用摘み部７から左側に張り出したマッシュルームの断面形状の部分Ｈを切り込み孔３１の中に設けている。このマッシュルームの断面形状の部分Ｈの笠部の頚部側を引っ掛け部１６としている。また、右側サイドシール部内に長径が水平に対して右上に１０度の方向に傾いている楕円形状の貫通孔２１を設けて被引っ掛け部１７としている。
【００５５】また、右側サイドシール部内の切り込み孔１２の下側の端部Ａからみて、引っ掛け部１６の下側の笠部と頚部との境部までの距離Ｉは、被引っ掛け部１７の切り込み孔１２の下側の端部Ａに最も近い部分までの距離Ｊと同距離である。
【００５６】以下、図１７を用いて開封終了から引っ掛け部１６を被引っ掛け部１７に引っ掛ける動作を説明する。図１７ａは開封用摘み部７を摘んだ右手を手前に引いて開封が終わった状態、図１７ｂは右手を下に移動させ引っ掛け部１６を差し込んで引っ掛ける直前、図１７ｃは引っ掛けて手が離れた状態を示す図である。
【００５７】図１７ａで示すように、開封後の開封用摘み部７と頚部１８の左外縁部の線Ｋは、左右反転したひらがなの略くの字形状をしている。また、この線Ｋは、図１７ｂで示すように、引っ掛け部１６を被引っ掛け部１７に引っ掛けるときに引っ張られた結果、直線に近い形状となる。これにより、図１６で示した距離Ｉと距離Ｊが同距離であっても引っ掛け部１６が被引っ掛け部１７に届く。
【００５８】また、図１７ｃで示すように、引っ掛けて手を離すと同時に、開封用摘み部７と頚部１８の左外縁部の線Ｋは弾性力が働き元の形状に戻ろうとする。さらに、頚部１８にも弾性力が働き、折れ曲がりが戻ろうとする。これにより、引っ掛け部１６が引っ掛かったままでマッシュルームの断面形状の部分が反時計回りに回転しロックされて留まる。
【００５９】よって、図１５から図１７で示すとおり、開封後の詰め替え作業前に引っ掛け部１６を被引っ掛け部１７に、手を持ち替えずに引っ掛けることができる。
【００６０】また、図１８は本発明の他の実施形態の例を示している。図１８ａは第１実施形態の被引っ掛け部を切り欠き、変形させた例である。図１８ｂは第２実施形態と第４実施形態を合わせたもので、引っ掛け部１６の形状及び被引っ掛け部１７の配置を変更した例である。さらに図１８ｃは第３実施形態を変形させた例で、引っ掛け部１６の配置及び被引っ掛け部を変更したものである。
【００６１】さらに、本発明の実施形態は、開封操作と、引っ掛け部１６を被引っ掛け部１７に引っ掛ける動作、および詰め替え作業を左右逆の手でおこなうことも可能である。
【符号の説明】
【００６２】  １    詰め替え包装容器
２    上側シール部
３    右側サイドシール部
４    シール部
５    未シール部
７    開封用摘み部
８    開口部
９    開封ノッチ
１０    開口破断線
１１    外縁部
１２    右側サイドシール部内の切り込み孔
１３    切り込み
１４    長径が垂直の楕円形状の貫通孔
１５    切り欠き
１６    引っ掛け部
１７    被引っ掛け部
１８    頚部
１９    略三日月形状の切り込み孔
２０    略半月形状の切り込み孔
２１    長径が水平に対して右上に１０度の方向に傾いている楕円形状の貫通孔
２２    第２の開封ノッチ
２３    第２の開口破断線
３１    開封用摘み部内の切り込み孔
【図１】
2019085172.tif 000003
【図２】
2019085172.tif 000004
【図３】
2019085172.tif 000005
【図４】
2019085172.tif 000006
【図５】
2019085172.tif 000007
【図６】
2019085172.tif 000008
【図７】
2019085172.tif 000009
【図８】
2019085172.tif 000010
【図９】
2019085172.tif 000011
【図１０】
2019085172.tif 000012
【図１１】
2019085172.tif 000013
【図１２】
2019085172.tif 000014
【図１３】
2019085172.tif 000015
【図１４】
2019085172.tif 000016
【図１５】
2019085172.tif 000017
【図１６】
2019085172.tif 000018
【図１７】
2019085172.tif 000019
【図１８】
2019085172.tif 000020